(57)【要約】【課題】個人管理情報をユーザが管理する際の利便を向上させつつ、広告効果を高める。【解決手段】ユーザ端末からページリクエストが送信されると、ウェブページ内の所定領域に表示する広告を決定するとともに、ページリクエストをしたユーザの個人管理情報の中から、決定した広告に関連づけられた広告属性に該当する個人管理情報を取得する。そして、決定した広告と取得した個人管理情報とを紐づけて表示するページデータを生成し、ユーザ端末に対して送信する。【選択図】図１
2012128538.tif 000002
【特許請求の範囲】
【請求項１】
通信ネットワークを介して接続されたユーザ端末から送信されたページリクエストに応じて、複数の広告を記憶しているデータベースを参照し、ウェブページ内の所定領域に表示する広告を決定する配信広告決定手段と、
キーワードを含む広告属性を各広告に関連づけて記憶しているデータベースを参照し、前記配信広告決定手段により決定した広告に関連づけられた前記広告属性を取得する広告属性取得手段と、
個人管理情報を各ユーザの識別子に関連づけて記憶しているデータベースを参照し、前記ページリクエストに含まれるユーザの識別子と前記広告属性取得手段により取得された前記広告属性とに基づいて、該当する個人管理情報を取得する個人管理情報取得手段と、
前記配信広告決定手段により決定した広告と前記個人管理情報取得手段により取得された個人管理情報とを紐づけて表示するページデータを生成するページデータ生成手段と、
前記ページデータ生成手段により生成されたページデータを、前記ユーザ端末に対して送信するページデータ送信手段と、を備えたことを特徴とする情報配信装置。
【請求項２】
前記広告属性には、日時及び場所を示すキーワードが含まれ、
前記個人管理情報には、ユーザが行動を予定している日時及び場所を含むスケジュール情報が含まれ、
前記個人管理情報取得手段は、
個人管理情報を各ユーザの識別子に関連づけて記憶しているデータベースを参照し、前記ページリクエストに含まれるユーザの識別子に関連づけられた個人管理情報から、前記広告属性取得手段により取得された前記広告属性に含まれる日時及び場所を示すキーワードに該当する前記スケジュール情報を個人管理情報として取得することを特徴とする請求項１に記載の情報配信装置。
【請求項３】
前記ページデータ生成手段は、
前記配信広告決定手段により決定した広告を表示する所定領域に対して、前記個人管理情報取得手段により取得された個人管理情報を表示する領域が、上下左右のいずれかにおいて隣接されたページデータを生成することを特徴とする請求項１又は２に記載の情報配信装置。
【請求項４】
コンピュータが、通信ネットワークを介して接続されたユーザ端末から送信されたページリクエストに応じて、複数の広告を記憶しているデータベースを参照し、ウェブページ内の所定領域に表示する広告を決定するステップと、
コンピュータが、キーワードを含む広告属性を各広告に関連づけて記憶しているデータベースを参照し、前記決定した広告に関連づけられた前記広告属性を取得するステップと、
コンピュータが、個人管理情報を各ユーザの識別子に関連づけて記憶しているデータベースを参照し、前記ページリクエストに含まれるユーザの識別子と前記取得された前記広告属性とに基づいて、該当する個人管理情報を取得するステップと、
コンピュータが、前記決定した広告と前記取得された個人管理情報とを紐づけて表示するページデータを生成するステップと、
コンピュータが、前記生成されたページデータを、前記ユーザ端末に対して送信するステップと、を含むことを特徴とする情報配信方法。
【請求項５】
コンピュータを、
通信ネットワークを介して接続されたユーザ端末から送信されたページリクエストに応じて、複数の広告を記憶しているデータベースを参照し、ウェブページ内の所定領域に表示する広告を決定する配信広告決定手段、
キーワードを含む広告属性を各広告に関連づけて記憶しているデータベースを参照し、前記配信広告決定手段により決定した広告に関連づけられた前記広告属性を取得する広告属性取得手段、
個人管理情報を各ユーザの識別子に関連づけて記憶しているデータベースを参照し、前記ページリクエストに含まれるユーザの識別子と前記広告属性取得手段により取得された前記広告属性とに基づいて、該当する個人管理情報を取得する個人管理情報取得手段、
前記配信広告決定手段により決定した広告と前記個人管理情報取得手段により取得された個人管理情報とを紐づけて表示するページデータを生成するページデータ生成手段、及び、
前記ページデータ生成手段により生成されたページデータを、前記ユーザ端末に対して送信するページデータ送信手段、として機能させることを特徴とするプログラム。
【発明の詳細な説明】
【技術分野】
【０００１】
本発明は、ウェブ広告の配信に連動して個人管理情報を提供する技術に関する。
【背景技術】
【０００２】
従来、インターネット上におけるポータルサイトでは、ウェブ上に存在するコンテンツの検索サービス、ニュース配信サービス、ショッピングやオークション等のｅコマースサービス、動画配信サービス、メールサービスといった多種多様なサービスを提供し、多くのユーザによって日々の生活の様々なシーンにおいて利用されている。このようなポータルサイトでは、集客力を活かしつつ、ユーザが閲覧するウェブページ上で広告を配信することで収益を得るビジネスモデルが主流となっている。
【０００３】
このような広告には各種あり、画像や動画を用いるディスプレイ広告や、ウェブページの閲覧履歴等に表れる閲覧者の興味や関心に応じた広告を、関連する内容のウェブページに表示する興味関心連動型広告等が知られており、また、広告効果を高める観点から各種の工夫が日々なされている。
【０００４】
一方、最近では、上記のようなポータルサイトにおいて、ユーザのスケジュールや知人のアドレス等、ユーザにとっての個人的な情報をウェブサーバ側で記憶・管理して、ユーザが必要なときに、ＰＣや携帯端末等の各種デバイスからインターネットを介して更新や閲覧を行うことができるようにした個人管理情報サービスが提案されている（例えば、特許文献１参照）。
【先行技術文献】
【特許文献】
【０００５】
【特許文献１】特開２００４−１７１２１６号
【発明の概要】
【発明が解決しようとする課題】
【０００６】
しかしながら、上記ポータルサイトにおける広告配信では、ユーザが必要な情報を積極的に得ようとしているような場合、表示されたウェブページ内において情報収集の対象となる領域への意識は高い一方、同じウェブページ内に表示される広告への意識が低くなりがちである、といった課題がある。また、そこには、例えば、表示される広告が仮に内部的にはユーザの興味が反映されたものだったとしても、ユーザにとってその関係が薄いものであるというユーザの意識がはたらく傾向にあることも挙げられる。
【０００７】
一方で、上記の個人管理情報サービスでは、ユーザが所持する端末内に個人管理情報が記憶されておらずとも、ウェブサーバにアクセスすることにより、いつでも個人管理情報を得られるようになるが、それに限らず、手帳等の紙媒体や端末内に閉じて個人管理情報を管理する場合では得られない利便を提供することが課題となっている。
【０００８】
そこで、本発明の目的とするところは、上記双方の課題を一度に解決すべく、ユーザが日常的に行うウェブページ閲覧の際に、そのウェブページ内に表示させる広告に連動させてユーザがサーバ上で管理する個人管理情報を提供することで、個人管理情報をユーザが管理する際の利便を向上させつつ、広告効果を高めることにある。
【課題を解決するための手段】
【０００９】
上記の目的をふまえ、本発明の一態様（１）は、情報配信装置であって、通信ネットワークを介して接続されたユーザ端末から送信されたページリクエストに応じて、複数の広告を記憶しているデータベースを参照し、ウェブページ内の所定領域に表示する広告を決定する配信広告決定手段と、キーワードを含む広告属性を各広告に関連づけて記憶しているデータベースを参照し、前記配信広告決定手段により決定した広告に関連づけられた前記広告属性を取得する広告属性取得手段と、個人管理情報を各ユーザの識別子に関連づけて記憶しているデータベースを参照し、前記ページリクエストに含まれるユーザの識別子と前記広告属性取得手段により取得された前記広告属性とに基づいて、該当する個人管理情報を取得する個人管理情報取得手段と、前記配信広告決定手段により決定した広告と前記個人管理情報取得手段により取得された個人管理情報とを紐づけて表示するページデータを生成するページデータ生成手段と、前記ページデータ生成手段により生成されたページデータを、前記ユーザ端末に対して送信するページデータ送信手段と、を備えたことを特徴とする。
【００１０】
本発明の他の態様（４）は、上記態様を方法のカテゴリとして捉えたもので、コンピュータが、コンピュータが、通信ネットワークを介して接続されたユーザ端末から送信されたページリクエストに応じて、複数の広告を記憶しているデータベースを参照し、ウェブページ内の所定領域に表示する広告を決定するステップと、コンピュータが、キーワードを含む広告属性を各広告に関連づけて記憶しているデータベースを参照し、前記決定した広告に関連づけられた前記広告属性を取得するステップと、コンピュータが、個人管理情報を各ユーザの識別子に関連づけて記憶しているデータベースを参照し、前記ページリクエストに含まれるユーザの識別子と前記取得された前記広告属性とに基づいて、該当する個人管理情報を取得するステップと、コンピュータが、前記決定した広告と前記取得された個人管理情報とを紐づけて表示するページデータを生成するステップと、コンピュータが、前記生成されたページデータを、前記ユーザ端末に対して送信するステップと、を含むことを特徴とする。
【００１１】
本発明の他の態様（５）は、上記態様をプログラムのカテゴリとして捉えたもので、コンピュータを、通信ネットワークを介して接続されたユーザ端末から送信されたページリクエストに応じて、複数の広告を記憶しているデータベースを参照し、ウェブページ内の所定領域に表示する広告を決定する配信広告決定手段、キーワードを含む広告属性を各広告に関連づけて記憶しているデータベースを参照し、前記配信広告決定手段により決定した広告に関連づけられた前記広告属性を取得する広告属性取得手段、個人管理情報を各ユーザの識別子に関連づけて記憶しているデータベースを参照し、前記ページリクエストに含まれるユーザの識別子と前記広告属性取得手段により取得された前記広告属性とに基づいて、該当する個人管理情報を取得する個人管理情報取得手段、前記配信広告決定手段により決定した広告と前記個人管理情報取得手段により取得された個人管理情報とを紐づけて表示するページデータを生成するページデータ生成手段、及び、前記ページデータ生成手段により生成されたページデータを、前記ユーザ端末に対して送信するページデータ送信手段、として機能させることを特徴とする。
【００１２】
（１）、（４）及び（５）の態様によれば、ユーザ端末からページリクエストが送信されると、ウェブページ内の所定領域に表示する広告を決定するとともに、ページリクエストを行ったユーザの個人管理情報のなかから、決定した広告に関連づけられた広告属性に該当する個人管理情報を取得する。そして、決定した広告と取得した個人管理情報とを紐づけて表示するページデータを生成し、ユーザ端末に対して送信するようにした。
【００１３】
つまり、ユーザがウェブページを閲覧する際に、そのウェブページ内に表示される広告に関連して、ユーザが管理している個人管理情報を表示することができるようになる。したがって、ユーザは、都度積極的に個人情報管理サービスにアクセスせずとも、ウェブページを閲覧するという行為の範囲で、個人管理情報を確認することができるようになる。その一方で、ユーザに提供される個人管理情報は広告に関連したものであることから、個人管理情報への意識を介して、それに紐づけられた広告を見せることで、ユーザがその広告を自らと関係が濃くより重要な情報であるとの意識を持たせることができるようになる。その結果、個人管理情報をユーザが管理する際の利便を向上させつつ、同時に、広告効果を高めることができる。
【００１４】
本発明の他の態様（２）は、前記広告属性には、日時及び場所を示すキーワードが含まれ、前記個人管理情報には、ユーザが行動を予定している日時及び場所を含むスケジュール情報が含まれ、前記個人管理情報取得手段は、個人管理情報を各ユーザの識別子に関連づけて記憶しているデータベースを参照し、前記ページリクエストに含まれるユーザの識別子に関連づけられた個人管理情報から、前記広告属性取得手段により取得された前記広告属性に含まれる日時及び場所を示すキーワードに該当する前記スケジュール情報を個人管理情報として取得することを特徴とする。
【００１５】
（２）の態様によれば、ユーザがウェブページを閲覧する際に、そのウェブページ内に表示される広告に関する日時や場所に関連して、ユーザが管理しているスケジュール情報を表示することができるようになる。したがって、ウェブページを閲覧するという日常の行為の範囲で、ユーザに対してスケジュールのリマインドを行う一方で、結果的に、そのユーザのスケジュールに標的をあてた広告を見せることができるようになることから、個人管理情報をユーザが管理する際の利便を向上させつつ、同時に、広告効果を高めることができる。
【００１６】
本発明の他の態様（３）は、前記ページデータ生成手段は、前記配信広告決定手段により決定した広告を表示する所定領域に対して、前記個人管理情報取得手段により取得された個人管理情報を表示する領域が、上下左右のいずれかにおいて隣接されたページデータを生成することを特徴とする。
【００１７】
（３）の態様によれば、ユーザがウェブページを閲覧する際に、そのウェブページ内に表示される広告のすぐ近傍に、ユーザが管理している個人管理情報を表示することができるようになる。したがって、個人管理情報への意識を介してそれに紐づけられた広告を見せるのに好適であり、個人管理情報をユーザが管理する際の利便を向上させつつ、広告効果を高めることができる。
【００１８】
なお、上記の各態様とは異なるカテゴリ（装置に対し方法、方法に対しプログラムなど）や、以下に説明するさらに具体的な態様も本発明に含まれる。異なるカテゴリについては、「手段」を「処理」又は「ステップ」のように適宜読み替えるものとする。また、処理やステップの実行順序は上記のものに限定されず、適宜変更可能である。
【発明の効果】
【００１９】
本発明によれば、ユーザがウェブページを閲覧する際に、そのウェブページ内に表示させる広告に連動させてユーザがサーバ上で管理する個人管理情報を提供することで、個人管理情報をユーザが管理する際の利便を向上させつつ、広告効果を高めることができる。
【図面の簡単な説明】
【００２０】
【図１】本発明の実施形態のシステム１の構成を示す機能ブロック図。
【図２】本発明の実施形態で用いる情報（データ）を示す図。
【図３】本発明の実施形態で用いる情報（データ）を示す図。
【図４】本発明の実施形態で用いる情報（データ）を示す図。
【図５】本発明の実施形態で用いる情報（データ）を示す図。
【図６】本発明の実施形態における処理手順を示すフローチャート。
【図７】本発明の実施形態の表示例を示す図。
【発明を実施するための形態】
【００２１】
次に、本発明を実施するための形態（以下、実施形態）について、図に沿って説明する。なお、背景技術や課題などで述べた内容と共通の前提事項については適宜省略する。
【００２２】
［構成］
本実施形態は、図１に示すように、複数のユーザがそれぞれ利用する端末装置（以下、ユーザ端末）２と、ユーザ端末２とインターネット通信網を介して接続され、ユーザ端末２に対してウェブ広告を配信する際に、ユーザが個人的に管理するスケジュールや知人のアドレスといった個人管理情報を提供する情報配信装置（以下、サーバ）３と、を有する情報処理システム（以下、システム）１に関するものである。
【００２３】
ユーザ端末２は、通信ネットワークを介して、サーバ３が提供する各種ウェブサービスのウェブコンテンツ（すなわちウェブページ）にアクセスする情報処理装置であり、ユーザが用いるパーソナルコンピュータ（ＰＣ）、スマートフォン、タブレットＰＣ、携帯電話端末機器等である。なお、図１では、ユーザ端末２として１つを模式的に例示しているが、実際は多数存在する。
【００２４】
サーバ３は、一般的なコンピュータの構成として、ＣＰＵなどの演算制御部３１と、外部記憶装置（ＨＤＤなど）や主メモリなどの記憶部３２と、通信ネットワーク（インターネットや携帯電話通信網、これらの組み合わせなど）を介した通信を行う通信部（ゲートウェイサーバ、ＬＡＮアダプタなど）３３と、を有する。
【００２５】
ユーザ端末２は、一般的なコンピュータの構成として、ＣＰＵなどの演算制御部２１と、外部記憶装置や主メモリなどの記憶部２２と、通信ネットワークを介した通信を行う通信部２３と、を有し、さらに、キースイッチやタッチパネル機能などの入力部２４と、表示パネルや有機ＥＬ（エレクトロ・ルミネセンス）などの表示部２５と、を有する。
【００２６】
これらユーザ端末２及びサーバ３は、それぞれ、記憶部２２，３２に記憶されているプログラムを演算制御部２１，３１が読み出して実行し、記憶部２２，３２や通信部２３，３３等の他のハードウェア資源と協働して動作することにより、ユーザ端末２及びサーバ３がそれぞれ備える各手段を実現する。
【００２７】
また、これら各手段のうち、情報を記憶する手段（以下、記憶手段）は、記憶部２２，３２において各種のデータベース（以下、ＤＢ）やファイル、配列等の変数、各種スタックやレジスタ、システム設定値など任意の形式で実現できる。
【００２８】
サーバ３は、ウェブコンテンツＤＢ１０が記憶しているウェブコンテンツを構成するウェブページのページデータ（ＨＴＭＬ等）に広告（画像や動画の読み出し先のリンクＵＲＬ等）を挿入してユーザ端末２に対して送信するものであり、さらには、その広告が有する広告属性に関連したユーザの個人管理情報を広告に紐づけて提供するものである。サーバ３は、ページリクエスト受信手段４１、配信広告決定手段４２、広告属性取得手段４３、個人管理情報取得手段４４、ページデータ生成手段４５及びページデータ送信手段４６として機能する。
【００２９】
ページリクエスト受信手段４１は、ユーザ端末から送信されたページリクエストを受信する機能を有する。配信広告決定手段４２は、ページリクエストに応じて、複数の広告を記憶している広告ＤＢ１１（後述の図２）を参照し、ウェブページ内の所定領域に表示する広告を決定する機能を有する。
【００３０】
広告属性取得手段４３は、キーワードを含む広告属性を各広告に関連づけて記憶している広告属性ＤＢ１２（後述の図３）を参照し、配信広告決定手段４２により決定した広告に関連づけられた広告属性を取得する機能を有する。より具体的な態様では、広告属性には、日時及び場所を示すキーワードが含まれている。
【００３１】
個人管理情報取得手段４４は、個人管理情報を各ユーザの識別子（ユーザＩＤ等）に関連づけて記憶しているＤＢ（スケジュール情報ＤＢ１３（後述の図４）及びアドレス情報ＤＢ１４（後述の図５））を参照し、ページリクエストに含まれるユーザの識別子と広告属性取得手段４３により取得された広告属性とに基づいて、該当する個人管理情報を取得する機能を有する。
【００３２】
なお、より具体的な態様では、個人管理情報には、ユーザが行動を予定している日時及び場所を含むスケジュール情報と、ユーザの知人や友人の連絡先や住所を含むアドレス情報とが含まれている。そして、個人管理情報取得手段４４は、ページリクエストに含まれるユーザの識別子に関連づけられた個人管理情報から、広告属性取得手段４３により取得された広告属性に含まれる日時及び場所を示すキーワードに該当するスケジュール情報、或いは、広告属性取得手段４３により取得された広告属性に含まれる場所を示すキーワードに該当するアドレス情報を個人管理情報として取得する。
【００３３】
ページデータ生成手段４５は、ウェブコンテンツＤＢ１０からページリクエストにより指定されたウェブページのページデータをもとに、配信広告決定手段４２により決定した広告と個人管理情報取得手段４４により取得された個人管理情報とを紐づけて表示するページデータを生成する機能を有する。
【００３４】
なお、より好ましい態様として、ページデータ生成手段４５は、配信広告決定手段４２により決定した広告を表示する所定領域と、個人管理情報取得手段４４により取得された個人管理情報を表示する領域とが、上下左右のいずれかにおいて隣接されたページデータを生成する。
【００３５】
ページデータ送信手段４６は、ページデータ生成手段４５により生成されたページデータを、ユーザ端末に対して送信する機能を有する。
【００３６】
また、サーバ３は、上記の各手段４１〜４６のほか、広告入稿手段５１及び広告属性登録手段５２として機能する。なお、サーバ３は、通信ネットワークを介して、広告の入稿等の動作を広告主の端末装置（図示略）に行わせる端末制御プログラム（アプリケーションやスクリプト等）を端末装置に対して提供する機能も有する。
【００３７】
広告入稿手段５１は、広告主が端末装置により入稿した広告を、インターネットを介して受信し、広告ＤＢ１１に登録する機能を有する。
【００３８】
広告ＤＢ１１は、図２に示すように、個々の広告を識別する「広告ＩＤ」に、広告主の名称や業種等を特定する「広告主」、広告対象の商品・サービスの名称やカテゴリ及び広告の宣伝文等といった広告の内容を示す「広告内容」、及び動画や画像等の広告コンテンツ本体へのリンクＵＲＬ（Uniform  Resource  Locator）を示す「リンク先」といった各種データを関連づけて記憶している。例えば、広告主データとして「赤坂フラワーショップ」、広告内容データとして「１２月の週末は毎日がスペシャル！花束・ブーケ全商品１０％ＯＦＦ！！」、リンク先データとして「△△＠○○.jp」といったデータが登録される。
【００３９】
また、広告属性登録手段５２は、広告主から入稿された広告について、その属性情報を取得し、広告属性ＤＢ１２に登録する機能を有する。
【００４０】
広告属性ＤＢ１２は、図３に示すように、前述の「広告ＩＤ」に、広告主の名称を示す「広告主名称」、広告主の業種を示す「業種」、広告対象の商品やサービスの名称を示す「商品等名称」、広告対象の商品やサービスが属するカテゴリを示す「商品等カテゴリ」、広告主や広告対象の商品やサービスに関係する場所（例えば、セールやキャンペーンを行う店舗名、施設名、住所、最寄駅等）を示す「場所」、及び、広告対象の商品やサービスに関係する日時（例えば、セールやキャンペーンを実施する日程等）を示す「日時」を、キーワードとして関連づけて記憶している。
【００４１】
例えば、広告主名称として「赤坂フラワーショップ」、業種として「生花店」、商品等名称として「花束」「ブーケ」、商品等カテゴリとして「花」、場所として「赤坂」「○○ビル」「東京都港区赤坂×丁目×」「赤坂見附駅」、及び、日時として「１２月」「１２月○日（例えば週末の日付）」といったデータがキーワードとして登録されている。
【００４２】
広告属性を構成する上記各種データは、広告主により端末装置（図示略）の入力部を介して任意に入力されることとしても良いし、広告主により入稿された広告データ（広告主や広告内容のテキスト）に対して自然言語処理（構文解析や形態素解析等）を行うことで自動的に抽出するようにしても良い。
【００４３】
また、サーバ３は、上記の各手段４１〜４６，５１，５２のほか、個人管理情報入力手段６１及び個人管理情報登録手段６２として機能する。なお、サーバ３は、通信ネットワークを介して、個人管理情報の入力や送受信、受信した個人管理情報の表示等の動作をユーザ端末２に行わせる端末制御プログラム（アプリケーションやスクリプト等）をユーザ端末２に対して提供する機能も有する。
【００４４】
個人管理情報入力手段６１は、ユーザによってユーザ端末２の入力部に入力された個人管理情報を、インターネットを介して受信する機能を有する。個人管理情報は、ユーザのスケジュール情報や、ユーザの友人や知人のアドレス情報である。個人管理情報登録手段６２は、ユーザ端末２から受信した個人管理情報を、ＤＢ（スケジュール情報ＤＢ１３及びアドレス情報ＤＢ）に登録する機能を有する。
【００４５】
スケジュール情報ＤＢ１３は、図４に示すように、ユーザ端末２を用いて本システム１を利用するユーザを識別する「ユーザＩＤ」に、スケジュール情報を関連づけて記憶している。スケジュール情報は、ユーザが予定している行動（イベント）に関する年月日及び時刻を示す「日時」、ユーザが予定している行動のタイトルを示す「タイトル」、ユーザが予定している行動に関する店舗名、施設名、住所、最寄駅等を示す「場所」、及びユーザが予定している行動の詳細情報や付加的情報を示す「備考」といった各種データを含む。
【００４６】
例えば、日時データとして「１２月１０日」、タイトルデータとして「結婚パーティー」、場所データとして「赤坂プリンス」、備考データとして「花束の準備」といったデータが登録されている。
【００４７】
アドレス情報ＤＢ１４は、図５に示すように、前述の「ユーザＩＤ」に、アドレス情報を関連づけて記憶している。アドレス情報は、ユーザの知人の氏名を示す「氏名」、知人のメールアドレスや電話番号を示す「連絡先」、知人の自宅住所や勤務先住所を示す「場所」、知人の生年月日を示す「生年月日」、知人の趣味や嗜好等のプロフィールを示す「プロフィール」といった各種データを含む。
【００４８】
［作用］
前述のように構成したシステム１のユーザ端末２及びサーバ３の処理手順を図６のフローチャートに示す。また、この処理手順による具体的な表示等の例を図７の概念図に示す。
【００４９】
まず、ユーザ端末２は、ウェブコンテンツのページリクエストを行う（ステップＳ１１）。ページリクエストは、インターネットの標準プロトコルであるＨＴＴＰに従ったＧＥＴメソッドとリクエストＵＲＩ（Uniform  Resource  Indicator）等を含むＨＴＴＰメッセージがユーザ端末２のブラウザからサーバ３に送信されることで行われる。
【００５０】
サーバ３は、ページリクエストを受信し（ステップＳ２１）、ウェブコンテンツＤＢ１０を参照して、ページリクエストにより指定されたウェブコンテンツのページデータを取得する（ステップＳ２２）。
【００５１】
次に、サーバ３は、広告ＤＢ１１を参照し、広告ＤＢ１１に記憶されている複数の広告から配信対象とする広告を決定する（ステップＳ２３）。配信対象とする広告の決定は、例えば、広告主による入札価格の多寡に応じた選択率に基づいて決定するなど、任意の手法を採用することができる。
【００５２】
次に、サーバ３は、決定した広告の広告属性を取得する（ステップＳ２４）。サーバ３は、決定した広告の広告ＩＤをキーに、広告属性ＤＢ１２を参照し、広告ＩＤに対応づけて記憶されている広告属性に含まれる各種キーワードを取得する。
【００５３】
次に、サーバ３は、広告属性に基づいて、個人管理情報を取得する（ステップＳ２５）。まず、サーバ３は、ページリクエストに含まれるユーザＩＤと、広告属性として取得した各種キーワード（広告主名称、業種、商品等名称、商品等カテゴリ、場所、日時）とに基づいて、スケジュール情報ＤＢ１３を参照し、各種キーワードと適合する語句を含むスケジュール情報を個人管理情報として取得する。
【００５４】
例えば、サーバ３は、広告属性に含まれる日時を示すキーワードを用いて、スケジュール情報ＤＢ１３を検索し、ユーザＩＤに対応づけられたスケジュール情報に、広告属性に含まれる日時に該当するスケジュール情報が登録されているか否かを判別する。サーバ３は、広告属性に含まれる日時に該当するスケジュール情報が登録されているとき、その日時に該当するスケジュール情報を取得する。例えば、広告属性に含まれる日時を示すキーワードが「１２月」だった場合、日時データとして「１２月」を含むスケジュール情報を取得し、また、広告属性に含まれる場所を示すキーワードが「赤坂」だった場合、場所データとして「赤坂」を含むスケジュール情報を取得する。同様に、広告属性に含まれる他のキーワードについても、該当するスケジュール情報の取得を行う。
【００５５】
なお、このとき、サーバ３は、広告属性に含まれるキーワードに適合する語句を含むスケジュール情報をリストアップする一方で、リストアップしたスケジュール情報の中で、適合する語句を多く含むスケジュール情報から順に重み付けを行い、重み付けが最も大きい１つ或いは上位複数のスケジュール情報をユーザ端末２に対して提供する対象として決定するようにしてもよい。これにより、例えば、日時及び場所の両方が適合するスケジュール情報は、日時又は場所の何れか一方が適合するスケジュール情報よりも優先される。
【００５６】
また、広告属性に含まれる複数のキーワードに対してキーワードの種別間での優先順位を予め設定しておくようにしてもよく、サーバ３は、広告属性に含まれるキーワードに適合する語句を含むスケジュール情報をリストアップする一方で、キーワード間での優先順位に従って、優先順位が高いキーワードに適合する語句を含むスケジュール情報から順に重み付けを行い、重み付けが最も大きい１つ或いは上位複数のスケジュール情報をユーザ端末２に対して提供する対象として決定するようにしてもよい。具体的には、スケジュール情報では日時及び場所の要素がユーザにとって重視されることを考慮して、広告属性に含まれる日時及び場所を示すキーワードを、他のキーワードよりもその優先順位を高く設定しておくことができる。
【００５７】
また、アドレス情報についても同様に、サーバ３は、ページリクエストに含まれるユーザＩＤと、広告属性として取得した各種キーワード（広告主名称、業種、商品等名称、商品等カテゴリ、場所、日時）とに基づいて、アドレス情報ＤＢ１３を参照し、各種キーワードと適合する語句を含むアドレス情報を個人管理情報として取得する。例えば、広告属性に含まれる場所を示すキーワードが「赤坂」だった場合、住所等の場所として「赤坂」を含むアドレス情報を取得し、また、広告属性に含まれる日時を示すキーワードが「１２月」だった場合、生年月日として「１２月」を含む知人のアドレス情報を取得する。
【００５８】
次に、サーバ３は、決定した広告と取得した個人管理情報とに基づいてページデータを生成する（ステップＳ２６）。サーバ３は、ステップＳ２２において取得したＨＴＭＬ形式のページデータに予め設定されている広告表示領域に、ステップＳ２３において決定した広告を埋め込む。また、サーバ３は、ページデータにおいて、広告表示領域の下方に隣接された個人管理情報表示領域を設定し、ステップＳ２５において取得した個人管理情報を埋め込む。例えば、サーバ３は、スケジュール情報であれば、「タイトル」、「場所」、「日時」及び「備考」の内容をそれぞれ個人管理情報表示領域に記述する。また、このとき、当該スケジュール情報の編集ページへのリンク先ＵＲＬ等を記述するようにしてもよい。なお、アドレス情報についても同様に、「氏名」、「連絡先」、「場所」といった内容をそれぞれ個人管理情報表示領域に記述する。
【００５９】
次に、サーバ３は、生成したページデータをユーザ端末２に送信する（ステップＳ２７）。これを受けて、ユーザ端末２は、サーバ３から受信したページデータをブラウザにより表示する（ステップＳ１２）。
【００６０】
ユーザ端末２のブラウザにより表示されるページデータの表示例を図７に示す。図７に示すように、ユーザ端末２のブラウザにより表示されるウェブページには、広告表示領域Ｐ１に配信対象として決定された広告が表示され、その下方に隣接する個人管理情報表示領域Ｐ２に個人管理情報が表示されている。
【００６１】
図示の例では、配信対象広告として、「赤坂フラワーショップ」について「１２月の週末は毎日がスペシャル！花束・ブーケ全商品１０％ＯＦＦ！！」といった内容の広告が表示されている。一方で、個人管理情報としては、「１２月１０日」「結婚パーティー」「赤坂プリンス」「花束の準備」といった内容のスケジュール情報が表示されている。
【００６２】
このように、本実施形態によれば、サーバ３は、ユーザ端末２のブラウザによりページリクエストが送信されると、ページリクエストにより指定されたウェブページ内の所定領域に表示する広告を決定する一方で、ページリクエストをしたユーザの個人管理情報の中から、決定した広告に関連づけられた広告属性に該当する個人管理情報を取得する。そして、決定した広告と取得した個人管理情報とを紐づけて表示するページデータを生成し、ユーザ端末２に対して送信するようにした。
【００６３】
つまり、ユーザがウェブページを閲覧する際に、そのウェブページ内に表示される広告に関連して、ユーザが管理している個人管理情報を表示することができるようになる。したがって、ユーザは、その都度積極的に個人情報管理サービスにアクセスせずとも、ウェブページを閲覧するという日常的な行為の範囲で、個人管理情報を確認することができるようになる。その一方で、ユーザに提供される個人管理情報は広告に関連したものであるから、個人管理情報への意識を介してそれに紐づけられた広告を見せることで、ユーザがその広告を自らと関係が濃くより重要な情報であるとの意識を持たせることができるようになる。その結果、個人管理情報をユーザが管理する際の利便を向上させつつ、広告効果を高めることができる。
【００６４】
また、本実施形態によれば、より好ましい態様として、広告属性に含まれる日時及び場所を示すキーワードを、他のキーワードよりも優先順位を高く設定しておき、広告属性に含まれる日時及び場所を示すキーワードに該当するスケジュール情報を取得するようにした。これにより、ユーザがウェブページを閲覧する際に、そのウェブページ内に表示される広告に関する日時や場所に関連して、ユーザが管理しているスケジュール情報を表示することができるようになる。したがって、ウェブページを閲覧するという行為の範囲で、ユーザに対してスケジュールのリマインドを行う一方で、結果的に、ユーザが実際に行動すると予測される場所及び日時をターゲットにした広告をユーザに見せることができ、広告効果を高めることができる。
【００６５】
また、本実施形態によれば、より好ましい態様として、ＨＴＭＬ形式のページデータに予め設定されている広告表示領域に対して、その上下左右のいずれかに隣接させた個人管理情報表示領域を設定して、個人管理情報を埋め込むようにした。したがって、ユーザがウェブページを閲覧する際に、そのウェブページ内に表示される広告のすぐ近傍に、ユーザが管理している個人管理情報を表示することができるようになる。その結果、個人管理情報への意識を介してそれに紐づけられた広告を見せるのに好適であり、個人情報管理サービスの利便を向上させつつ、広告効果を高めることができる。
【００６６】
なお、上記各実施形態は例示に過ぎず、本発明は、以下に例示するものやそれ以外の他の実施態様も含むものである。
【００６７】
例えば、ページリクエストにより指定されたウェブページのページデータに、広告を表示する広告表示領域が複数個所設定されており、配信対象とする広告を各領域に応じて複数決定する場合に、決定した各広告の広告属性に応じて個人管理情報をそれぞれ取得して、各広告に紐づけて表示するようにしても良い。このようにすると、ユーザにとっては、個人管理情報を広告位置に紐づけて確認する機会が増える一方、広告主にとっても、結果的にユーザの個人管理情報に標的をあてた広告を配信する機会が増えるので、個人情報管理サービスの利便を向上させつつ、広告効果を高めるのに好適となる。
【００６８】
また、例えば、ページリクエストにより指定されたウェブページのページデータに、広告を表示する広告表示領域が複数個所設定されており、配信対象とする広告を各領域に応じて複数決定する場合に、そのうちの予め定められた１つの広告の広告属性に応じて個人管理情報を取得して、その広告に紐づけて表示するようにしても良い。この場合、ページデータ内の位置を定義するページ位置座標をもとに、ページデータ内の位置が最も上位の広告表示領域（例えば、ブラウザによるページデータの読み込み直後にウェブページが表示されたときにブラウザ内に収まる範囲内にある広告表示領域）について決定された広告を対象とすることができる。これにより、ブラウザによりウェブページを表示したときに、ユーザの視野に最初に入るようにすることができ、視野に入ることなくページ遷移が行われてしまうことを極力防ぐことができるので、個人管理情報をユーザが管理する際の利便を向上させつつ、広告効果を高めるのに好適である。
【００６９】
また、サーバ３の個人管理情報取得手段４４は、個人管理情報の取得を、広告属性に含まれるキーワードそのものの語句に限らず、キーワードの関連語まで範囲を拡げて行うことができる。この場合、サーバ３は、広告属性に含まれるキーワード又はその所定の関連語と適合する語句を含む個人管理情報を取得する。また、関連語は、同義語、類義語、上位概念語、下位概念語などが考えられるが、これらを求めるには、例えば、このような語句間の関連を表す同義語辞書ファイルなどの関連語データを記憶した関連語ＤＢ（図示略）を設けて、語句ごとの関連語抽出処理に用いるなど、既知の言語処理技術を適用すればよい。
【００７０】
また、サーバ３が、個人管理情報解析手段（図示略）をさらに備え、ユーザＩＤに対応づけられた個人管理情報に既知の自然言語処理を行うことにより、特徴的なワードを抽出するようにしてもよい。例えば、スケジュール情報の「タイトル」や「備考」の内容を対象として、形態素解析を行い、品詞別に分類した単語について、助詞などの不要語を削除するとともに、固有名詞、未知語、一般名詞を取得することができる。そして、そのうえで、サーバ３は、広告属性に含まれる各種キーワードと適合する特徴的なワードを持つスケジュール情報を取得するようにしても良い。
【００７１】
また、例えば、ウェブページ内に表示する広告と個人管理情報との関連性の信頼度を維持する観点から、広告属性に含まれるキーワードの中で取得対象とするキーワードの種別（例えば、日時及び場所の両方）や、取得対象とするキーワードの個数を予め設定しておき、これらを満たすスケジュール情報のみを取得するようにしても良い。
【００７２】
また、本発明に関する手段などの各要素は、コンピュータの演算制御部に限らず、ワイヤードロジック等に基づく電子回路など他の情報処理機構で実現してもよい。また、各構成図、データの図、フローチャートの図などは例示に過ぎず、各要素の有無、その配置順序や各処理の実行順序、具体的内容などは適宜変更可能である。例えば、本発明のサーバ装置は、構成要素となるサーバなどの装置を複数用いて実現してもよく、個々の記憶手段を別個独立のサーバ装置やシステムで実現する構成も一般的である。また、機能によっては、外部のプラットフォーム等をＡＰＩ（アプリケーションプログラムインターフェース）やネットワークコンピューティングで呼び出して実現するなど、構成は柔軟に変更できる。
【符号の説明】
【００７３】
１  システム
２  端末
３  サーバ
１０  ウェブコンテンツＤＢ
１１  広告ＤＢ
１２  広告属性ＤＢ
１３  スケジュール情報ＤＢ
１４  アドレス情報ＤＢ
２１、３１  演算制御部
２２、３２  記憶部
２３、３３  通信部
２４  入力部
２５  表示部
４１  ページリクエスト手段
４２  配信広告決定手段
４３  広告属性取得手段
４４  個人管理情報取得手段
４５  ページデータ作成手段
４６  ページデータ送信手段
５１  広告入稿手段
５２  広告属性登録手段
６１  個人管理情報入力手段
６２  個人管理情報登録手段
【図１】
2012128538.tif 000003
【図２】
2012128538.tif 000004
【図３】
2012128538.tif 000005
【図４】
2012128538.tif 000006
【図５】
2012128538.tif 000007
【図６】
2012128538.tif 000008
【図７】
2012128538.tif 000009